(57)【要約】      （修正有）【課題】本発明は、冷蔵庫に関し、特にカメラシステムを備える冷蔵庫及びそのカメラシステムを提供する。【解決手段】冷蔵庫は、本体と、本体に接続されている少なくとも一つのドアと、少なくとも一つのドアに設置されているカメラシステム３００と、を備える。カメラシステム３００は、それぞれ複数の保存場所に対応する複数のカメラ装置３１０，３２０，３３０，３４０を含み、対応する保存場所の映像を撮影する。また、カメラ装置３１０，３２０，３３０，３４０は広角カメラモジュールである。【選択図】図３
2018112384.tif 000002
【特許請求の範囲】
【請求項１】
食品を保存するのに用いられる複数の保存場所を備える本体と、
前記本体に接続されている少なくとも一つのドアと、
前記少なくとも一つのドアに設置されているカメラシステムと、を備え、
前記カメラシステムは、それぞれ前記複数の保存場所に対応する複数のカメラ装置を含み、対応する前記保存場所の映像を撮影し、また、前記カメラ装置は広角カメラモジュールであることを特徴とする冷蔵庫。
【請求項２】
前記広角カメラモジュールの視野角は１８０度に等しいか或いは１８０度より大きいことを特徴とする請求項１に記載の冷蔵庫。
【請求項３】
前記本体は、第一側辺及び第二側辺を備え、前記ドアは第一側壁及び第二側壁を備え、前記本体の第一側辺と前記ドアの第一側壁はドア軸を介して互いに接続されていることを特徴とする請求項１に記載の冷蔵庫。
【請求項４】
前記ドアは内板面及び外板面を備え、前記ドアが閉められた後、前記内板面は前記複数の保存場所に対向し、前記カメラ装置は前記内板面上に設置されていることを特徴とする請求項３に記載の冷蔵庫。
【請求項５】
前記ドアの内板面上における前記第二側壁に近設する箇所には突部が設けられており、前記カメラ装置は前記突部上に沿って設置されていることを特徴とする請求項４に記載の冷蔵庫。
【請求項６】
前記本体は、第一保存場所、第二保存場所、第三保存場所及び第四保存場所を備え、前記カメラシステムは、第一カメラ装置、第二カメラ装置、第三カメラ装置及び第四カメラ装置を備え、前記第一カメラ装置、前記第二カメラ装置、前記第三カメラ装置及び前記第四カメラ装置は、それぞれ前記第一保存場所、前記第二保存場所、前記第三保存場所及び前記第四保存場所に対応し、並びに、それぞれ対応する保存場所の映像を撮影することを特徴とする請求項１に記載の冷蔵庫。
【請求項７】
更に前記カメラ装置が撮影した映像をリモート装置に送信する送信モジュールを備えることを特徴とする請求項１に記載の冷蔵庫。
【請求項８】
更に送信モジュール及び表示モジュールを備え、前記表示モジュールは前記ドアの外板面上に設置され、前記送信モジュールは前記カメラ装置が撮影した映像を前記表示モジュールに送信することを特徴とする請求項４に記載の冷蔵庫。
【請求項９】
前記少なくとも一つのドアは、第一ドア及び第二ドアを備え、前記第一ドアの幅は前記第二ドアの幅より大きく、前記カメラ装置は前記第一ドアに設置されていることを特徴とする請求項１に記載の冷蔵庫。
【発明の詳細な説明】
【技術分野】
【０００１】
本発明は、冷蔵庫に関し、特にカメラシステムを備える冷蔵庫及びそのカメラシステムに関するものである。
【背景技術】
【０００２】
社会の発展及び生活水準の向上に伴い、ユーザの冷蔵庫の機能に対する要求は、従来の保存機能に対する要求のほかに、スマート化に対しても高くなっている。
【０００３】
従来、冷蔵庫内に物を保存する際は、通常先ず冷蔵庫のドアを開けて中の状態を確認してから保存するため時間と労力を費やす。したがって、ユーザに不便である。また、頻繁に冷蔵庫のドアを開け閉めすると、中の冷気が外に漏れてしまいエネルギーを消費してしまう。この他にも、ユーザが沢山の食品を購入した後にこれら食品を冷蔵庫に保存するも、購入したことを忘れてしまい食品の賞味期限が過ぎてしまう場合がある。特に賞味期限切れの食品は異臭がし始めて初めて発見される場合が多く、冷蔵庫内には細菌が発生する。また、冷蔵庫内に沢山の食品を放置した場合、冷蔵庫内部の冷気の循環が滞り冷却効果を下げてしまう。したがって、この問題を解決するために、従来のスマート冷蔵庫は冷蔵庫内の食品を撮影するために保存空間内にカメラ装置が設置されており、スマート冷蔵庫の送信システムを介して撮影された食品の映像がユーザに送られる。図１は、冷蔵庫内の一部を示す図である。従来のカメラ装置１１０は、冷蔵庫１００の食品等を放置する場所（保存場所）の内壁上に設置される。しかし、一般の冷蔵庫の内部は多層からなる保存空間を有するため、従来のカメラ装置では冷蔵庫の各層に放置されている食品を完全に撮影することはできない。また、この従来のカメラ装置は、冷蔵庫内の保存場所に設置されて外に向かって撮影するため冷蔵庫のドアの上方しか撮影できず、保存場所内に放置されている食品を完全に撮影することができない。
【０００４】
したがって、ユーザが冷蔵庫内の食品の状態を容易に知ることができるカメラシステムを必要とする。このカメラシステムを介して冷蔵庫内の各層に放置されている食品を完全に撮影することで、効果的に冷蔵庫を使用でき、食品の廃棄物を減らすことができる。
【発明の概要】
【発明が解決しようとする課題】
【０００５】
以上の問題点に鑑みて、本発明は、冷蔵庫及びそのカメラシステムを提供する。本発明のカメラシステムは、１８０度に等しいか或いは１８０度より大きい広角カメラモジュールを採用し、各広角カメラモジュールはそれぞれ保存場所に対応し、各保存場所は全て広角カメラモジュールを介して保存場所内の完全な映像が撮影されるため、死角を無くすことができ、ユーザは容易に冷蔵庫内の各層の保存場所の状況を完全に確認できる。
【課題を解決するための手段】
【０００６】
本発明は、冷蔵庫を提供する。冷蔵庫は、本体と、この本体に接続されている少なくとも一つのドアと、この少なくとも一つのドアに設置されているカメラシステムと、を含む。本体は複数の保存場所を備え、食品を保存するのに用いられる。カメラシステムは、複数の保存場所にそれぞれ対応する複数のカメラ装置を備え、対応する保存場所の映像を撮影する。また、このカメラ装置は広角カメラモジュールである。
【０００７】
本発明は、冷蔵庫に用いられるカメラシステムを提供する。冷蔵庫は、本体及びこの本体に接続されている少なくとも一つのドアを含む。本体は複数の保存場所を備え、食品を保存するのに用いられる。本発明のカメラシステムはドア上に設置され、カメラシステムは、複数の保存場所にそれぞれ対応する複数のカメラ装置を備え、対応する保存場所の映像を撮影する。また、このカメラ装置は広角カメラモジュールである。
【０００８】
本発明は、冷蔵庫食品管理方法を提供する。この冷蔵庫食品管理方法は、冷蔵庫内に送信モジュールが設置され、冷蔵庫は、本体及びこの本体に接続されている少なくとも一つのドアを有し、本体は複数の保存場所を備え、食品を保存するのに用いられる。冷蔵庫のドア上には、送信モジュールと互いに接続されているカメラシステムが設置されており、カメラシステムは、冷蔵庫の複数の保存場所にそれぞれ対応する複数のカメラ装置を備え、対応する保存場所の映像を撮影する。冷蔵庫のドアが閉じられた後、複数のカメラ装置はそれぞれ保存場所を撮影して、複数の保存場所の映像を取得する。送信モジュールを利用して、保存場所の映像が表示装置に送信される。
【０００９】
実施形態において、広角カメラモジュールの視野角は１８０度に等しいか或いは１８０度より大きい。
【００１０】
実施形態において、カメラ装置の数量と保存場所の数量は同じであり、一つのカメラ装置は一つの保存場所に対応する。
【００１１】
実施形態において、本体は第一側辺及び第二側辺を備え、ドアは第一側壁及び第二側壁を備え、本体の第一側辺とドアの第一側壁はドア軸を介して互いに接続されている。
【００１２】
実施形態において、ドアは内板面及び外板面を備え、ドアが閉じられた後、内板面は複数の保存場所に対向する。カメラ装置は内板面上に設置されている。
【００１３】
実施形態において、ドアの内板面上における第二側壁に近設する箇所には突部が設けられており、カメラ装置は突部上に沿って設置されている。
【００１４】
実施形態において、本体は、第一保存場所、第二保存場所、第三保存場所及び第四保存場所を備え、カメラシステムは、第一カメラ装置、第二カメラ装置、第三カメラ装置及び第四カメラ装置を備え、第一カメラ装置、第二カメラ装置、第三カメラ装置及び第四カメラ装置は、それぞれ第一保存場所、第二保存場所、第三保存場所及び第四保存場所に対応し、並びに、それぞれ対応する保存場所の映像を撮影する。
【００１５】
実施形態において、冷蔵庫は更に、カメラ装置が撮影した映像をリモート装置に送信する送信モジュールを含む。
【００１６】
実施形態において、冷蔵庫は更に、表示モジュールを含む。表示モジュールはドアの外板面上に設置され、送信モジュールは、カメラ装置が撮影した映像を表示モジュールに送信する。
【００１７】
実施形態において、少なくとも一つのドアは第一ドア及び第二ドアを備え、第一ドアの幅は第二ドアの幅より大きい。カメラ装置は第一ドアに設置されている。
【発明の効果】
【００１８】
本発明が提供する冷蔵庫、そのカメラシステム及び冷蔵庫食品管理方法は、冷蔵庫のドアの内板面上には、それぞれ複数の保存場所に対応する複数の広角カメラモジュールが設置されており、各保存場所は全て広角カメラモジュールを介して保存場所内の完全な映像が撮影されるため、死角を無くすことができる。また、送信モジュールを介して広角カメラモジュールが撮影した映像がユーザの携帯端末に送信される或いは冷蔵庫の外板面上の表示装置に送信されるため、ユーザは、冷蔵庫のドアを開けなくても冷蔵庫内の各層の保存場所の状況を確認することができる。また、本発明が提供する冷蔵庫、そのカメラシステム及び冷蔵庫食品管理方法は、便利に且つ素早くユーザに冷蔵庫内の状況を知らせることができるため、同じ食品の購入を防ぐことができ、無駄な出費も抑えることができると共に、補充しなければならない食品を直ぐに確認できる。また、冷蔵庫のドアが頻繁に開け閉めされることで冷気が外に漏れるのも防ぐことができるので、エネルギーも節約できる。
【図面の簡単な説明】
【００１９】
【図１】従来の冷蔵庫のカメラ装置を示す図である。
【図２Ａ】本発明の実施形態に係る冷蔵庫の前から見た図であり、冷蔵庫のドアが閉まっている状態を示す。
【図２Ｂ】本発明の実施形態に係る冷蔵庫の前から見た図であり、冷蔵庫のドアが開いている状態を示す分解図である。
【図３】本発明に係る冷蔵庫のドアとカメラシステムを示す図である。
【図４】本発明に係る冷蔵庫のドアの一部及びカメラ装置の拡大斜視図である。
【図５】本発明のカメラシステム及びこのカメラシステムが撮影した映像を示す図である。
【図６】本発明に係る冷蔵庫における食品管理方法のフローチャートである。
【発明を実施するための形態】
【００２０】
以下図面を参照しながら、本発明の実施形態に係る冷蔵庫及びそのカメラシステムを説明する。同じ部品については同じ符号を付して示す。
【００２１】
図２Ａ、図２Ｂ及び図３に示すように、本発明の冷蔵庫２００は、本体２１０、第一ドア２２０、第二ドア２３０及びカメラシステム３００を含む。第一ドア２２０及び第二ドア２３０は、ドア軸（図示せず）を介して本体２１０にそれぞれ接続される。本実施形態において、本発明の冷蔵庫２００は、６ドア冷蔵庫を例にして説明するがこれに限定されない。図２Ａ及び図２Ｂに示すように、冷蔵庫２００は更に、第一引き出し２４０、第二引き出し２５０、第三引き出し２６０及び第四引き出し２７０を備える。６ドア冷蔵庫の本体２１０の構造と引き出しは従来の構造と同じであるので、ここでの説明は省略する。本体２１０は食品を保存する複数の保存場所を備える。本実施形態において、本体２１０は、第一保存場所２１１、第二保存場所２１２、第三保存場所２１３及び第四保存場所２１４の四つの保存場所を備える。これら保存場所２１１、２１２、２１３、２１４は、本体２１０の長軸方向に沿って且つ本体２１０内にそれぞれ設置されている。第一ドア２２０及び第二ドア２３０は、保存場所２１１、２１２、２１３、２１４に対応して設置されており、第一ドア２２０及び第二ドア２３０が閉められた際、第一ドア２２０及び第二ドア２３０は、保存場所２１１、２１２、２１３、２１４を覆って密封空間を形成する。ユーザが保存場所２１１、２１２、２１３、２１４から食品を取る際、第一ドア２２０又は第二ドア２３０を開ける、或いは第一ドア２２０と第二ドア２３０を同時に開けることができる。ユーザは食品を取り出した後、第一ドア２２０及び第二ドア２３０を閉めて保存場所２１１、２１２、２１３、２１４を閉じることで中の冷気が外に漏れるのを防ぐ。本実施形態において、第一ドア２２０の幅は第二ドア２３０の幅より大きい。
【００２２】
本体２１０は第一側辺２１０１及び第二側辺２１０２を備える。第一側辺２１０１及び第二側辺２１０２は互いに平行して本体２１０の両側に設置されている。第一ドア２２０は矩形の形状を有し、第一側壁２２０１、第二側壁２２０２、第三側壁２２０３及び第四側壁２２０４を含む。第一側壁２２０１と第二側壁２２０２とは互いに平行して位置し、第三側壁２２０３と第四側壁２２０４とは互いに平行して位置する。第一側壁２２０１は第三側壁２２０３と第四側壁２２０４に垂直に位置し、第二側壁２２０２も第三側壁２２０３と第四側壁２２０４に垂直に位置する。第一ドア２２０の第一側壁２２０１は、ドア軸（図示せず）を介して本体２１０の第一側辺２１０１に接続される。ユーザが第一ドア２２０の第二側壁２２０２に対して外に引っ張る力を提供すると、この第一ドア２２０は、第二側壁２２０２が外に向かって保存場所２１１、２１２、２１３、２１４から離れる方法を介して開けられる。前記ドア軸の構造及び第一ドア２２０と本体２１０の接続方法は従来の冷蔵庫の構造を参考にできるので、ここでの説明は省略する。
【００２３】
図３を参照すると、第一ドア２２０は、内板面２２０５及びこの内板面２２０５に相対して位置する外板面（図示せず）を備える。第一ドア２２０が閉められている際、内板面２２０５は保存場所２１１、２１２、２１３、２１４に対向している。カメラシステム３００は複数のカメラ装置を備える。本実施形態において、カメラシステム３００は、第一カメラ装置３１０、第二カメラ装置３２０、第三カメラ装置３３０及び第四カメラ装置３４０を含む。これらカメラ装置３１０、３２０、３３０、３４０は、第一ドア２２０の内板面２２０５上に設置されており、並びにそれぞれ保存場所２１１、２１２、２１３、２１４に対応している。第一ドア２２０が閉められている際、カメラ装置３１０、３２０、３３０、３４０はそれぞれ内側に向けて対応する保存場所２１１、２１２、２１３、２１４の映像を撮影する。カメラ装置の数量と保存場所の数量は同じであり、一つのカメラ装置が一つの保存場所に対応している。つまり、第一カメラ装置３１０は第一保存場所２１１に対応し、第二カメラ装置３２０は第二保存場所２１２に対応し、第三カメラ装置３３０は第三保存場所２１３に対応し、第四カメラ装置３４０は第四保存場所２１４に対応する。
【００２４】
カメラ装置は広角カメラモジュールであり、第一ドア２２０が閉められた際に、近距離から保存場所２１１、２１２、２１３、２１４の映像を完全に撮影することができる。前記広角カメラモジュールは、視野角（Ｆｉｅｌｄ  ｏｆ  ｖｉｅｗ，ＦＯＶ）が１８０度に等しいか或いは１８０度より大きい広角カメラモジュールである。
【００２５】
図４を参照すると、第一ドア２２０の内板面２２０５上には更に突部２２０６が設けられている。突部２２０６は第一側壁２２０１と第二側壁２２０２に平行に位置し、且つ第二側壁２２０２に近設している。カメラ装置３１０、３２０、３３０、３４０は、突部２２０６上に沿って設置されており、且つ第三側壁２２０３と第四側壁２２０４に垂直に位置している。
【００２６】
本発明の冷蔵庫は更に送信モジュール（図示せず）を含む。この送信モジュールはカメラシステム３００に接続されており、カメラ装置３１０、３２０、３３０、３４０が撮影した保存場所２１１、２１２、２１３、２１４の映像をリモート装置（図示せず）に送信する。これにより、ユーザは容易に遠隔地から冷蔵庫の使用状況がわかる。当該リモート装置は携帯端末又はリモートサーバであってもよい。
【００２７】
他の実施形態において、本発明は更に表示モジュール（図示せず）を備える。この表示モジュールは、第一ドア２２０又は第二ドア２３０の外板面（図示せず）上に設置され、且つカメラシステム３００に接続されている。ユーザが冷蔵庫のドアを開けなくても外板面上に設置されている表示モジュールを介して便利に保存場所内の食品を確認することができるよう、カメラ装置３１０、３２０、３３０、３４０が撮影した保存場所２１１、２１２、２１３、２１４の映像がこの表示モジュールに送信される。
【００２８】
図５に示すように、映像３１０ａは第一カメラ装置３１０が撮影した第一保存場所２１１の映像であり、映像３２０ａは第二カメラ装置３２０が撮影した第二保存場所２１２の映像であり、映像３３０ａは第三カメラ装置３３０が撮影した第三保存場所２１３の映像であり、映像３４０ａは第四カメラ装置３４０が撮影した第四保存場所２１４の映像である。映像３１０ａ、３２０ａ、３３０ａ、３４０ａは、前記送信モジュールを介してユーザの携帯端末に送信される或いは直接表示モジュールに表示される。これにより、ユーザは冷蔵庫のドアを開けなくても、更には遠隔地からでも冷蔵庫の保存場所に放置されている食品の状況を確認することができる。例えば、ユーザがスーパーマーケットで買い物をする際に、先ず携帯電話を介して本発明のカメラシステムが撮影した映像を見て自宅の冷蔵庫の中にある食品を把握できるため、同じ食品の購入を防ぐことができると共に、無駄な出費も抑えることができる。
【００２９】
また、本発明は冷蔵庫に使用されるカメラシステムを提供する。冷蔵庫は、本体及びこの本体に接続されている少なくとも一つのドアを含む。本体は複数の保存場所を有し、ドアは内板面及び外板面を備える。本発明のカメラシステムは、ドアの内板面上に設置されている。カメラシステムは、それぞれ保存場所に対応する複数のカメラ装置を含み、それぞれ対応する保存場所の映像を撮影する。また、前記カメラ装置は広角カメラモジュールである。実施形態において、広角カメラモジュールの視野角は１８０度に等しいか又は１８０度より大きい。本発明のカメラシステムは１８０度に等しいか又は１８０度より大きい広角カメラモジュールを採用し、各広角カメラモジュールはそれぞれ保存場所に対応しており、各保存場所は全て、広角カメラモジュールを介して保存場所内の完全な映像が撮影されるため、死角を無くすことができ、ユーザは容易に冷蔵庫内の各層の保存場所の状況を確認できる。また、本発明のカメラシステムの各細かい部品の組み合わせ、変化の態様及びその他の部品の接続関係は、前記実施形態と同じであるので、ここでの説明は省略する。
【００３０】
また、本発明は、冷蔵庫内にカメラシステムを設置する冷蔵庫食品管理方法も提供する。冷蔵庫は、本体及びこの本体に接続されている少なくとも一つのドアを含む。本体は複数の保存場所を備え、ドアは内板面及び外板面を含む。図６を参照すると、本発明の冷蔵庫食品管理方法は以下のステップを含む。
【００３１】
ステップＳ０１：冷蔵庫内に送信モジュールを設置する。
【００３２】
ステップＳ０２：ドアの内板面上に送信モジュールと互いに接続されているカメラシステムを設置する。カメラシステムはそれぞれ複数の保存場所に対応する複数のカメラ装置を含み、対応する保存場所の映像を撮影する。前記カメラ装置は広角カメラモジュールである。実施形態において、この広角カメラモジュールの視野角は１８０度に等しいか或いは１８０度より大きい。
【００３３】
ステップＳ０３：冷蔵庫のドアが閉められた後、前記複数のカメラ装置はそれぞれ複数の保存場所を撮影して、この複数の保存場所の映像を取得する。
【００３４】
ステップＳ０４：送信モジュールを利用して、保存場所の映像を表示装置に送信する。表示モジュールは冷蔵庫の外板面上に設置されている表示モジュールであるか或いは遠隔携帯端末である。
【００３５】
本発明の冷蔵庫食品管理方法は、視野角が１８０度に等しいか或いは１８０度より大きい広角カメラモジュールを採用し、並びに冷蔵庫のドアの内板面上にはそれぞれ保存場所に対応する複数の広角カメラモジュールが設置されている。各保存場所は全て広角カメラモジュールを介して保存場所内の完全な映像が撮影されるため、死角を無くすことができる。また、送信モジュールを介して広角カメラモジュールが撮影した映像がユーザの携帯端末に送信されるか或いは冷蔵庫の外板面上の表示装置に送信されるため、ユーザは、冷蔵庫のドアを開けなくても冷蔵庫内の各層の保存場所の状況を確認することができる。尚、冷蔵庫及びカメラシステムの各細かい部品の組み合わせ、変化の態様及びその他の部品の接続関係は、前記実施形態と同じであるので、ここでの説明は省略する。
【００３６】
以上より、本発明が提供する冷蔵庫、そのカメラシステム及び冷蔵庫食品管理方法は、冷蔵庫のドアの内板面上にそれぞれ複数の保存場所に対応する複数の広角カメラモジュールが設置されており、各保存場所は全て広角カメラモジュールを介して保存場所内の完全な映像が撮影されるため、死角を無くすことができる。また、送信モジュールを介して広角カメラモジュールが撮影した映像がユーザの携帯端末に送信される或いは冷蔵庫の外板面上の表示装置に送信されるため、ユーザは、冷蔵庫のドアを開けなくても冷蔵庫内の各層の保存場所の状況を確認することができる。また、本発明が提供する冷蔵庫、そのカメラシステム及び冷蔵庫食品管理方法は、便利に且つ素早くユーザに冷蔵庫内の状況を知らせることができるため、同じ食品の購入を防ぐことができ、無駄な出費も抑えることができると共に、補充しなければならない食品を直ぐに確認できる。また、冷蔵庫のドアが頻繁に開け閉めされることで冷気が外に漏れるのも防ぐことができるので、エネルギーも節約できる。
【００３７】
上記の記述は例として挙げたものであり、これらに限定されない。本発明の精神と範囲を逸脱しない限り内容を修正又は変更することができるが、このような全ての修正及び変更は後に添付されている特許請求の範囲内に含まれる。
【符号の説明】
【００３８】
１００、２００  冷蔵庫
１１０  カメラ装置
２１０  本体
２１１  第一保存場所
２１２  第二保存場所
２１３  第三保存場所
２１４  第四保存場所
２２０  第一ドア
２３０  第二ドア
２４０  第一引き出し
２５０  第二引き出し
２６０  第三引き出し
２７０  第四引き出し
２１０１  第一側辺
２１０２  第二側辺
２２０１  第一側壁
２２０２  第二側壁
２２０３  第三側壁
２２０４  第四側壁
２２０５  内板面
２２０６  突部
３００  カメラシステム
３１０  第一カメラ装置
３２０  第二カメラ装置
３３０  第三カメラ装置
３４０  第四カメラ装置
３１０ａ、３２０ａ、３３０ａ、３４０ａ  映像
【図１】
2018112384.tif 000003
【図２Ａ】
2018112384.tif 000004
【図２Ｂ】
2018112384.tif 000005
【図３】
2018112384.tif 000006
【図４】
2018112384.tif 000007
【図５】
2018112384.tif 000008
【図６】
2018112384.tif 000009